(57)【要約】【課題】  神社側で予め祈祷された願い事記入部材に自由に願い事を書くことができ、また、絵馬とは異なり、願い事を書いた後は第三者の誰にも見られることがなく、しかも、購入者自身が身に付けて自由に持ち歩くことができること。【解決手段】  上面が開口され下面が閉塞されている筒状のケース２と、このケース２内に出し入れ自在な願い事記入部材４と、前記ケース２の上面を覆設するキャップ３とでお守り本体１を形成する。願い事記入部材４は、予め神社で祈祷されているものであり、願い事記入部材４を拡げて願い事を自由に書くことができる。ケース２内には円筒状の支持体１０が設けられており、この支持体１０内に丸めた願い事記入部材４を挿入する。これにより、願い事記入部材４は支持体１０に確実に支持されることになる。【選択図】        図６
2005168561.tif 000002
【特許請求の範囲】
【請求項１】
下面が閉塞され上面が開口されているケース（２）と、このケース（２）内に出し入れ自在に納装され予め神社で祈祷されていて任意の願い事を書くことができる願い事記入部材（４）と、前記ケース（２）の開口部を着脱自在に覆設するキャップ（３）とでお守り本体（１）を形成していることを特徴とするお守り。
【請求項２】
前記ケース（２）内に、該ケース（２）内で前記願い事記入部材（４）が動かないように支持する支持手段を備えていることを特徴とする請求項１記載のお守り。
【請求項３】
前記支持手段は、上面を開口した略円筒状の支持体（１０）からなり、紙材で形成した前記願い事記入部材（４）を丸めて該支持体（１０）内に挿入していることを特徴とする請求項２に記載のお守り。
【請求項４】
前記お守り本体（１）は携帯電話（２０）に着脱自在に取り付けていることを特徴とする請求項１〜請求項３のいずれかに記載のお守り。
【請求項５】
前記お守り本体（１）の外観形状を熊、犬、猫などの動物を形どったキャラクターの形態としたり、あるいはお守り本体（１）をキーホルダーの形態としていることを特徴とする請求項１〜請求項３のいずれかに記載のお守り。
【発明の詳細な説明】
【技術分野】
【０００１】
本発明は、祈祷された後に神社などで販売されているお守りに関するものである。
【背景技術】
【０００２】
従来よりお守りは各神社で種々のものが販売されており、お守りの内部に入っている中紙や外袋には、家内安全、学業向上、交通安全、商売繁盛などの文言が記載されている。そして、神社の神主が神殿で御祓いをしてから該神社で販売を行なっており、神社に参った人が所望の願掛けの文言が記入されているお守りを購入するようになっている。
【０００３】
このようなお守りは、予め神社側で願掛けの文言を記載しているため、文言自体は決まりきった内容となっていて、通常の願掛けが単なる家内安全、学業向上、交通安全、商売繁盛などであれば、購入者はそのまま所望のお守りを購入すれば良い。
【０００４】
しかしながら、願い事は上記の家内安全、学業向上、交通安全、商売繁盛などが大切であり、また普遍的なものであるものの、これら以外にも多くの願い事が存在しているのが現状である。
つまり、現在、神社で販売されているお守りの願掛けの内容（文言）自体は決まりきっていて、それ以外に文言を希望しても購入者がお守りの中紙へは記入できないシステムとなっている。
【０００５】
ところで、購入者が好きな願い事の文言を書くことができるものとして、絵馬があるが、その絵馬は願い事を書いた後に神社に渡し、その後に神社側で絵馬を祈祷した後に神社内で奉納されている。しかし、周知のように絵馬は第三者の誰もが自由に見ることができ、しかも、その絵馬には願い事の他に、住所や氏名も記載しているので、所謂プライバシーが犯される恐れが多分にある。
また、絵馬は通常は購入者が持ち歩くものではなく、神社に奉納するものであるため、購入者が絵馬を身に付けるものではない。また、絵馬を身に付けても、該絵馬は比較的大きいので、常に持って歩くことができるものでもない。
【発明の開示】
【発明が解決しようとする課題】
【０００６】
本発明は上述の問題点に鑑みて提供したものであって、少なくとも以下の目的を備えたお守りを提供することを目的としているものである。
（１）神社側で予め祈祷された願い事記入部材に自由に願い事を書くことができること。
（２）絵馬とは異なり、願い事を書いた後は第三者の誰にも見られることがなく、しかも、購入者自身が身に付けて自由に持ち歩くことができること。
（３）願い事を書いた後のお守りは携帯電話に着脱自在に装着できて、単なるアクセサリーではなく神社で祈祷されたお守りにより購入者を鼓舞したり、勇気付けるようにすること。
【課題を解決するための手段】
【０００７】
そこで、本発明の請求項１記載のお守りでは、下面が閉塞され上面が開口されているケース２と、このケース２内に出し入れ自在に納装され予め神社で祈祷されていて任意の願い事を書くことができる願い事記入部材４と、前記ケース２の開口部を着脱自在に覆設するキャップ３とでお守り本体１を形成していることを特徴としている。
【０００８】
請求項２に記載のお守りでは、前記ケース２内に、該ケース２内で前記願い事記入部材４が動かないように支持する支持手段を備えていることを特徴としている。
【０００９】
請求項３に記載のお守りでは、前記支持手段は、上面を開口した略円筒状の支持体１０からなり、紙材で形成した前記願い事記入部材４を丸めて該支持体１０内に挿入していることを特徴としている。
【００１０】
請求項４に記載のお守りでは、前記お守り本体１は携帯電話２０に着脱自在に取り付けていることを特徴としている。
【００１１】
請求項５に記載のお守りでは、前記お守り本体１の外観形状を熊、犬、猫などの動物を形どったキャラクターの形態としたり、あるいはお守り本体１をキーホルダーの形態としていることを特徴としている。
【発明の効果】
【００１２】
本発明の請求項１記載のお守りによれば、家内安全、学業向上、交通安全、商売繁盛などの決まりきった文言はもちろん、それ以外の自分だけの多くの願い事を願い事記入部材４に自由に書くことができ、また、従来の絵馬とは異なり、願い事を書いた後は第三者の誰にも見られることはなく、安心して携帯電話２０と共に身に付けて持ち歩くことができる。
【００１３】
請求項２に記載のお守りによれば、ケース２内の支持手段により願い事記入部材４を支持することができるので、身に付けて持ち歩いても音も発生せず、他人に何が入っているか感じさせることもない。また、キャップ３を外して不用意にケース２を逆さにしても、願い事記入部材４がケース２から脱落することもなく、他人に願い事記入部材４に記載した願い事の内容を見られることもない。
【００１４】
請求項３に記載のお守りによれば、前記支持手段は、上面を開口した略円筒状の支持体１０からなり、紙材で形成した前記願い事記入部材４を丸めて該支持体１０内に挿入するようにしているので、丸めた願い事記入部材４は拡げることで、願い事を書く面積は大きくとれ、多くの願い事を書くことができる。しかも、丸めた願い事記入部材４を支持体１０内に挿入して手を離せば、願い事記入部材４が拡がるようにして復帰するので、その復帰力にて支持体１０内で願い事記入部材４が確実に支持されることになり、願い事記入部材４のケース２内での支持手段を簡単な構成で実現でき、コストも安価にできる。
【００１５】
請求項４に記載のお守りによれば、お守り本体１を携帯電話２０に着脱自在に装着するようにしているので、単なるアクセサリーではなく、神社で祈祷されたお守り本体１により購入者を鼓舞したり、勇気付けることになる。
【００１６】
請求項５に記載のお守りによれば、お守り本体１の外観形状を熊、犬、猫などの動物を形どったキャラクターの形態としている場合には、お守り以上の親しみを持つことができ、また、お守り本体１をキーホルダーの形態とした場合には、１つの物でお守りとキーホルダーの機能を併せ持つことができる。
【発明を実施するための最良の形態】
【００１７】
（第１の実施の形態）
以下、本発明の実施の形態を図面を参照して詳細に説明する。図１〜図４は第１の実施形態を示し、図１は本発明に係るお守り本体１の分解斜視図を示している。このお守り本体１は、下面が閉塞されて上面が開口した略円筒状のケース２と、このケース２の上部に着脱自在に覆設されるキャップ３と、前記ケース２内に出し入れ自在に納装され、お守り本体１の購入者が自由に願い事を書くことができる願い事記入部材４と、前記ケース２に通して先端を携帯電話にくくり付ける紐５とで構成されている。
【００１８】
前記ケース２及びキャップ３の材料としては、例えば、紙材、プラスティック、金属であり、また、大きさは、お守り本体１を携帯電話に取り付けても邪魔にならない大きさであり、例えば、高さが５ｃｍ前後で、直径が１ｃｍ〜１．５ｃｍ程度である。したがって、お守り本体１を携帯電話に取り付けても、重くもならず、また、邪魔にもならない形態となっている。
また、ケース２の側部には紐５を通すための穴６が２つ穿孔されており、この穴６を通した紐５が輪状に形成されて、図外の携帯電話に通常のストラップと同様に紐５をくくり付けてお守り本体１を携帯電話に簡単に取り付けることができるようになっている。
【００１９】
また、図１及び図２に示すように、キャップ３は上面が閉塞され下面は開口し、キャップ３の内径はケース２の外径とほぼ同じ寸法として、キャップ３をケース２の上部に圧入して装着できると同時に、キャップ３をケース２から取り外す場合にも、過大な力を必要とせずキャップ３を取り外すことができるようになっている。なお、ケース２とキャップ３とは周知の凹凸嵌合により着脱自在に装着可能な構造としても良い。
【００２０】
ケース２内に納装される願い事記入部材４は、この実施形態では紙製であり、矩形状の紙を丸めて構成されており、この願い事記入部材４及びお守り本体１自体は、神社側で予め御祓い（祈祷）されており、この祈祷後にお守り本体１が神社で販売される商品となっている。
図３は丸めてある願い事記入部材４を拡げた状態を示しており、この願い事記入部材４を拡げて購入者が自由に願い事を書くようになっている。願い事記入部材４への願い事の記入は、購入者が他人に見られたくないような文言でも良く、どのような願い事を書いても良い。
【００２１】
願い事記入部材４に願い事を書いた後は、願い事記入部材４を丸めてケース２内に入れ、キャップ３をケース２に覆設する。なお、願い事記入部材４は予め丸めてケース２内に入っているため、カール癖が付いており、願い事を書いた後に手を離せば、自然と丸まって元の巻物の巻いたような状態となり、ケース２内にそのまま入れることができる。図２は係る状態のお守り本体１の断面図を示している。
【００２２】
この実施形態では、願い事記入部材４を巻物のように巻いているので、広い面積の紙を使用でき、そのため、家内安全、学業向上、交通安全、商売繁盛などの文言はもちろん、それ以外の多くの願い事を書くことができる。また、キャップ３を取り外してケース２内から願い事記入部材４を取り出して、該願い事記入部材４に何回も願い事を加えることもできる。
【００２３】
図４は願い事記入部材４の他の例を示し、この例では、願い事記入部材４の形状を少し厚みのある平板状に形成したものである。この平板状の願い事記入部材４においては、願い事の記載量は少ないものの、先の例のように丸まっている願い事記入部材４を拡げる必要もなく、文言が書き易くなっている。
【００２４】
なお、上記のお守り本体１のケース２及びキャップ３の形状を断面が略円筒状としていたが、断面形状を三角形状、四角形状、五角、六角、八角形状など、種々の形状としても良いのはもちろんである。
【００２５】
（第２の実施の形態）
図５〜図９に第２の実施形態を示す。この実施形態では、お守り本体１のケース２及びキャップ３の断面形状を八角形状とし、しかも、願い事記入部材４をケース２内で動かないように支持するようにしたものである。
なお、先の実施形態と同様の機能を発揮する要素については、同一の番号を付して詳細な説明は省略する。
【００２６】
すなわち、図６及び図７に示すように、ケース２の底板７の上面の略中央に上面が開口され下面を閉塞した略円筒状の支持体１０を接着剤などで固着し、この支持体１０の中に願い事記入部材４を入れて、支持体１０にて願い事記入部材４を動かないように支持している。
この支持体１０の高さは、低くても高くても良いが、低すぎると願い事記入部材４の支持が弱くなるので、ケース２の開口面より少し低くする方が、願い事記入部材４の大部分を内部に挿入することができて、支持体１０にて願い事記入部材４を確実に支持できるので、この方が好適例である。
【００２７】
願い事記入部材４に願い事を書いた後に、願い事記入部材４を丸めて支持体１０内の挿入して手を離すと、該願い事記入部材４がある程度外方へ拡がるように復帰する。この願い事記入部材４が外側に拡がることで、願い事記入部材４は支持体１０内に他の部材を用いることなく、確実に支持されることになる。
そのため、お守り本体１を衣服に直接付けたり、あるいは携帯電話に装着して持ち歩いても音が発生せず、他人に何が入っているかを感じさせることもない。また、キャップ３を外して不用意にケース２を逆さにしても、願い事記入部材４がケース２から脱落することもなく、他人に願い事記入部材４に記載した願い事の内容を見られることもない。
【００２８】
上述のように願い事記入部材４は支持体１０にて確実に支持されているので、願い事記入部材４を手で持って取り出しにくい恐れがある。そこで、この実施形態では、図６、図８及び図９に示すように、願い事記入部材４の一部に紐１１を貼着しておき、キャップ３を外した状態で、該紐１１を引っ張ることで、願い事記入部材４を支持体１０から容易に取り出すことができる。
また、願い事記入部材４をケース２内で動かないように支持するための支持体１０の構成も円筒状の簡単な構成で実現でき、コストも安価にできる。
【００２９】
図１０は願い事記入部材４を厚みを少し持たせて平板状に構成した場合を示し、図１１に示すように、ケース２の内径と願い事記入部材４の幅寸法をほぼ同じとし、願い事記入部材４をケース２内に圧入することで、願い事記入部材４をケース２内に支持するようにしたものである。
また、図１２及び図１３はケース２の断面を略円形とした場合であり、同様にケース２の内径と願い事記入部材４の幅寸法をほぼ同じとし、願い事記入部材４をケース２内に圧入することで、願い事記入部材４をケース２内に支持するようにしたものである。
【００３０】
これにより、先の場合と同様の効果を奏するものであり、特に、図６の場合と比べて支持体１０を不要とするので、その分、コストを安価にすることができる。
【００３１】
図１４は、紙製の用紙を丸めて構成した願い事記入部材４をケース２内で支持する他の例を示すものであり、ケース２の内面より複数の支持部材１５を一体的に設け、これらの支持部材１５にて願い事記入部材４を支持するようにしたものである。
すなわち、例えば、ゴム板で形成した長方形状の支持部材１５の基部をケース２の内面に固着し、それぞれの支持部材１５の先端をケース２の中央に向けて配設し、支持部材１５の弾性力を利用して、願い事記入部材４をケース２内に支持するようにしている。
【００３２】
支持部材１５は図示例では４つ用いているが、６つ、あるいは８つを用いても良く、また、上下方向に２か所設けているが、１か所でも良い。
願い事記入部材４をケース２内に挿入していくと、願い事記入部材４の下端部が支持部材１５の先端部分を押していき、ケース２の下部まで願い事記入部材４を挿入すると、上下方向の２か所の支持部材１５にて願い事記入部材４を支持する。上下方向の２か所にて願い事記入部材４を支持しているので、願い事記入部材４を確実に支持できて、キャップ３を外した状態でケース２を逆さにしても、願い事記入部材４はケース２から脱落することもない。
【００３３】
図１５は上記のようにして構成されているお守り本体１を携帯電話２０に取り付けた状態を示している。このように、神社側で予め祈祷された願い事記入部材４に自由に願い事を書くことができ、その願い事記入部材４をお守り本体１内に入れておくことで、従来の絵馬とは異なり、願い事を書いた後は第三者の誰にも見られることがなく、しかも、購入者自身が身に付けて自由に持ち歩くことができる。
また、願い事を書いた後のお守りは携帯電話２０に着脱自在に装着できて、単なるアクセサリーではなく神社で祈祷されたお守りにより購入者を鼓舞したり、勇気付けることにもなる。
【００３４】
なお上記各実施形態では、お守り本体１の形状を筒状の場合について説明したが、筒状に限られるものではない。例えば、お守り本体１の形態を熊、犬、猫などのキャラクターやマスコットになる動物の形態とし、例えば、動物の頭部をキャップ３とし、体の部分をケース２としたお守り本体１とするようにしても良い。かかる場合には、お守り以上の親しみを持つことができる。特に、従来には存在しなかったタイプの形態のお守りを提供することができる。
【００３５】
また、お守り本体１をキーホルダーの形態としても良く、かかる場合には、１つの物で今まで存在しなかったお守りとキーホルダーの機能を併せ持つことができる。
【図面の簡単な説明】
【００３６】
【図１】本発明の第１の実施の形態におけるお守り本体の分解斜視図である。
【図２】本発明の第１の実施の形態におけるお守り本体の断面図である。
【図３】本発明の第１の実施の形態における願い事記入部材の斜視図である。
【図４】本発明の第１の実施の形態における平板状に形成した場合の願い事記入部材の斜視図である。
【図５】本発明の第２の実施の形態におけるお守り本体の斜視図である。
【図６】本発明の第２の実施の形態におけるお守り本体の断面図である。
【図７】本発明の第２の実施の形態におけるケースの平面図である。
【図８】本発明の第２の実施の形態における願い事記入部材の展開した状態の斜視図である。
【図９】本発明の第２の実施の形態における願い事記入部材の斜視図である。
【図１０】本発明の第２の実施の形態における願い事記入部材を平板状に形成した場合の説明図である。
【図１１】本発明の第２の実施の形態における願い事記入部材を平板状に形成した場合の説明図である。
【図１２】本発明の第２の実施の形態におけるケースを円筒状に形成した場合の説明図である。
【図１３】本発明の第２の実施の形態におけるケースを円筒状に形成した場合の説明図である。
【図１４】（ａ）（ｂ）は本発明の第２の実施の形態における他の支持手段で構成した場合の平面図及び断面図である。
【図１５】本発明のお守り本体を携帯電話に装着した場合の説明図である。
【符号の説明】
【００３７】
１  お守り本体
２  ケース
３  キャップ
４  願い事記入部材
１０  支持体
２０  携帯電話
【図１】
2005168561.tif 000003
【図２】
2005168561.tif 000004
【図３】
2005168561.tif 000005
【図４】
2005168561.tif 000006
【図５】
2005168561.tif 000007
【図６】
2005168561.tif 000008
【図７】
2005168561.tif 000009
【図８】
2005168561.tif 000010
【図９】
2005168561.tif 000011
【図１０】
2005168561.tif 000012
【図１１】
2005168561.tif 000013
【図１２】
2005168561.tif 000014
【図１３】
2005168561.tif 000015
【図１４】
2005168561.tif 000016
【図１５】
2005168561.tif 000017